【手続補正書】
【提出日】平成19年12月28日(2007.12.28)
【手続補正１】
【補正対象書類名】特許請求の範囲
【補正対象項目名】請求項１
【補正方法】変更
【補正の内容】
【請求項１】
式（１）で表されるジアミン：
2005255981.tif 000001
ここに、アミノフェニル基において、ベンゼン環へのアミノ基の結合位置は任意であり、そしてベンゼン環の任意の水素はフッ素、炭素数１〜１０のアルキル、炭素数１〜１０のフッ素化アルキル、または炭素数１〜１０のアルコキシで置き換えられてもよく；Ｒ１は炭素数１〜３０のアルキルであり、このアルキル中の任意の−ＣＨ２−はフェニレン、シクロへキシレン、２価の縮合環基、２価のヘテロ環基、−Ｏ−、−ＯＣＯ−、−ＣＯＯ−または−ＣＨ＝ＣＨ−で置き換えられてもよく、そしてこのアルキル中の任意の水素はハロゲンで置き換えられてもよく；前記のフェニレン、シクロへキシレン、２価の縮合環基および２価のヘテロ環基において、任意の水素はハロゲン、炭素数１〜４のアルキル、炭素数１〜４のフッ素化アルキルまたは炭素数１〜４のアルコキシで置き換えられてもよく；Ｘ1およびＸ２は独立して単結合または炭素数１〜２０のアルキレンであり、このアルキレン中の任意の−ＣＨ２−はフェニレン、シクロへキシレン、２価の縮合環基、２価のヘテロ環基、−Ｏ−、−Ｓ−、−ＯＣＯ−、−ＣＯＯ−または−ＣＨ＝ＣＨ−で置き換えられてもよく、そしてこのアルキレン中の任意の水素はフッ素で置き換えられてもよく；Ｘ２が単結合の時は、Ｘ１中のアミノフェニル基に結合する−ＣＨ２−が−Ｏ−または−Ｓ−で置き換えられることはなく；Ｘ1およびＸ２が共に単結合のときは、アミノフェニル基の少なくとも１つはベンゼン環の少なくとも１つの水素がフッ素、メチル、メトキシまたはトリフルオロメチルで置換されたアミノフェニル基である。
【手続補正２】
【補正対象書類名】特許請求の範囲
【補正対象項目名】請求項２
【補正方法】変更
【補正の内容】
【請求項２】
アミノフェニル基において、ベンゼン環へのアミノ基の結合位置がＸ１の結合位置およびＸ２の結合位置のそれぞれに対してパラ位またはメタ位であり、そしてベンゼン環の任意の水素がフッ素、炭素数１〜５のアルキル、炭素数１〜５のフッ素化アルキルまたは炭素数１〜５のアルコキシで置き換えられてもよく；Ｒ１が炭素数１〜２０のアルキルであり、このアルキル中の任意の−ＣＨ２−は１，４−フェニレン、１，４−シクロへキシレン、ナフタレン−２，７−ジイル、フルオレン−２，７−ジイル、ピリジン−２，５−ジイル、１，３−ジオキサン−２，５−ジイル、キノリン−３，７−ジイル、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；前記の１，４−フェニレンにおいて、任意の水素はフッ素、炭素数１〜４のアルキル、炭素数１〜４のフッ素化アルキルまたは炭素数１〜４のアルコキシで置き換えられてもよく；Ｘ1およびＸ２が独立して単結合または炭素数１〜１０のアルキレンであり、このアルキレン中の任意の−ＣＨ２−は１，４−フェニレン、１，４−シクロへキシレン、ナフタレン−２，７−ジイル、フルオレン−２，７−ジイル、ピリジン−２，５−ジイル、１，３−ジオキサン−２，５−ジイル、キノリン−３，７−ジイル、−Ｏ−または−ＣＨ＝ＣＨ−で置き換えられてもよく、そしてこのアルキレン中の任意の水素はフッ素で置き換えられてもよく；Ｘ２が単結合の時には、Ｘ１中のアミノフェニル基に結合する−ＣＨ２−が−Ｏ−で置き換えられることはなく；Ｘ1およびＸ２が共に単結合のときは、アミノフェニル基の少なくとも１つはベンゼン環の少なくとも１つの水素がフッ素、メチル、メトキシまたはトリフルオロメチルで置換されたアミノフェニル基である、請求項１に記載のジアミン。
【手続補正３】
【補正対象書類名】特許請求の範囲
【補正対象項目名】請求項３
【補正方法】変更
【補正の内容】
【請求項３】
アミノフェニル基において、ベンゼン環へのアミノ基の結合位置がＸ１の結合位置およびＸ２の結合位置のそれぞれに対してパラ位またはメタ位であり、そしてベンゼン環の任意の水素がフッ素、メチルまたはメトキシで置き換えられてもよく；Ｒ１が炭素数１〜１０のアルキルであり、このアルキル中の任意の−ＣＨ２−は１，４−フェニレン、ナフタレン−２，７−ジイル、１，４−シクロへキシレン、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；Ｘ1およびＸ２が独立して単結合または炭素数１〜１０のアルキレンであり、このアルキレン中の任意の−ＣＨ２−は１，４−フェニレン、１，４−シクロへキシレン、−Ｏ−または−ＣＨ＝ＣＨ−で置き換えられてもよく、そしてこのアルキレン中の任意の水素はフッ素で置き換えられてもよく；Ｘ２が単結合の時には、Ｘ１中のアミノフェニル基に結合する−ＣＨ２−は−Ｏ−で置き換えられることはなく；Ｘ1およびＸ２が共に単結合のときは、アミノフェニル基の少なくとも１つはベンゼン環の少なくとも１つの水素がフッ素、メチルまたはメトキシで置換されたアミノフェニル基である、請求項１に記載のジアミン。
【手続補正４】
【補正対象書類名】特許請求の範囲
【補正対象項目名】請求項５
【補正方法】変更
【補正の内容】
【請求項５】
Ｒ１が炭素数１〜１０のアルキルであり、このアルキル中の任意の−ＣＨ２−は１，４−フェニレン、ナフタレン−２，７−ジイル、１，４−シクロへキシレン、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；Ｘ1およびＸ２が共に単結合であり；そして、アミノフェニル基において、ベンゼン環へのアミノ基の結合位置がＸ１の結合位置およびＸ２の結合位置のそれぞれに対してパラ位またはメタ位であり、そしてアミノフェニル基の少なくとも１つはベンゼン環の少なくとも１つの水素がフッ素、メチルまたはメトキシで置換されたアミノフェニル基である、請求項１に記載のジアミン。
【手続補正５】
【補正対象書類名】特許請求の範囲
【補正対象項目名】請求項６
【補正方法】変更
【補正の内容】
【請求項６】
Ｒ１が炭素数１〜１０のアルキルであり、このアルキル中の任意の−ＣＨ２−は１，４−フェニレン、ナフタレン−２，７−ジイル、１，４−シクロへキシレン、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；Ｘ1が炭素数１〜１０のアルキレンであり、このアルキレン中の任意の−ＣＨ２−は１，４−フェニレン、１，４−シクロへキシレン、−Ｏ−または−ＣＨ＝ＣＨ−で置き換えられてもよく、このアルキレン中の任意の水素はフッ素で置き換えられてもよく、そしてこのアルキレンにおいて、アミノフェニル基に結合する−ＣＨ２−は−Ｏ−で置き換えられることはなく；Ｘ２が単結合であり；アミノフェニル基において、ベンゼン環へのアミノ基の結合位置がＸ１の結合位置およびＸ２の結合位置のそれぞれに対してパラ位またはメタ位であり、そしてベンゼン環の任意の水素がフッ素、メチルまたはメトキシで置き換えられてもよい、請求項１に記載のジアミン。
【手続補正６】
【補正対象書類名】特許請求の範囲
【補正対象項目名】請求項７
【補正方法】変更
【補正の内容】
【請求項７】
Ｒ１が炭素数１〜１０のアルキルであり、このアルキル中の任意の−ＣＨ２−は１，４−フェニレン、ナフタレン−２，７−ジイル、１，４−シクロへキシレン、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；Ｘ1およびＸ２が独立して炭素数１〜１０のアルキレンであり、このアルキレン中の任意の−ＣＨ２−は１，４−フェニレン、１，４−シクロへキシレン、−Ｏ−または−ＣＨ＝ＣＨ−で置き換えられてもよく、そしてこのアルキレン中任意の水素はフッ素で置き換えられてもよく；アミノフェニル基において、ベンゼン環へのアミノ基の結合位置がＸ１の結合位置およびＸ２の結合位置のそれぞれに対してパラ位またはメタ位であり、そしてベンゼン環の任意の水素がフッ素、メチルまたはメトキシで置き換えられてもよい、請求項１に記載のジアミン。
【手続補正７】
【補正対象書類名】特許請求の範囲
【補正対象項目名】請求項８
【補正方法】変更
【補正の内容】
【請求項８】
Ｒ１が炭素数１〜１０のアルキルであり、このアルキル中の任意の−ＣＨ２−は１，４−フェニレン、ナフタレン−２，７−ジイル、１，４−シクロへキシレン、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；Ｘ1が単結合であり；Ｘ２が炭素数１〜１０のアルキレンであり、このアルキレン中の任意の−ＣＨ２−は１，４−フェニレン、１，４−シクロへキシレン、−Ｏ−または−ＣＨ＝ＣＨ−で置き換えられてもよく、そしてこのアルキレン中の任意の水素はフッ素で置き換えられてもよく；アミノフェニル基において、ベンゼン環へのアミノ基の結合位置がＸ１の結合位置およびＸ２の結合位置のそれぞれに対してパラ位またはメタ位であり、そしてベンゼン環の任意の水素がフッ素、メチルまたはメトキシで置き換えられてもよい、請求項１に記載のジアミン。
【手続補正８】
【補正対象書類名】特許請求の範囲
【補正対象項目名】請求項９
【補正方法】変更
【補正の内容】
【請求項９】
式（１）で表されるジアミンの１つまたは式（１）で表されるジアミンの少なくとも１つを含むジアミン混合物をジアミン原料として用い、テトラカルボン酸二無水物、トリカルボン酸、ジカルボン酸、トリカルボン酸誘導体およびジカルボン酸誘導体の少なくとも１つをカルボン酸原料として用いて得られるポリマー：
2005255981.tif 000002
ここに、アミノフェニル基において、ベンゼン環へのアミノ基の結合位置は任意であり、そしてベンゼン環の任意の水素はフッ素、炭素数１〜１０のアルキル、炭素数１〜１０のフッ素化アルキル、または炭素数１〜１０のアルコキシで置き換えられてもよく；Ｒ１は炭素数１〜３０のアルキルであり、このアルキル中の任意の−ＣＨ２−はフェニレン、シクロへキシレン、２価の縮合環基、２価のヘテロ環基、−Ｏ−、−ＯＣＯ−、−ＣＯＯ−または−ＣＨ＝ＣＨ−で置き換えられてもよく、そしてこのアルキル中の任意の水素はハロゲンで置き換えられてもよく；前記のフェニレン、シクロへキシレン、２価の縮合環基および２価のヘテロ環基において、任意の水素はハロゲン、炭素数１〜４のアルキル、炭素数１〜４のフッ素化アルキルまたは炭素数１〜４のアルコキシで置き換えられてもよく；Ｘ1およびＸ２は独立して単結合または炭素数１〜２０のアルキレンであり、このアルキレン中の任意の−ＣＨ２−はフェニレン、シクロへキシレン、２価の縮合環基、２価のヘテロ環基、−Ｏ−、−Ｓ−、−ＯＣＯ−、−ＣＯＯ−または−ＣＨ＝ＣＨ−で置き換えられてもよく、そしてこのアルキレン中の任意の水素はフッ素で置き換えられてもよく；Ｘ２が単結合の時は、Ｘ１中のアミノフェニル基に結合する−ＣＨ２−が−Ｏ−または−Ｓ−で置き換えられることはなく；Ｘ1およびＸ２が共に単結合のときは、アミノフェニル基の少なくとも１つはベンゼン環の少なくとも１つの水素がフッ素、メチル、メトキシまたはトリフルオロメチルで置換されたアミノフェニル基である。
【手続補正９】
【補正対象書類名】特許請求の範囲
【補正対象項目名】請求項１０
【補正方法】変更
【補正の内容】
【請求項１０】
アミノフェニル基において、ベンゼン環へのアミノ基の結合位置がＸ１の結合位置およびＸ２の結合位置のそれぞれに対してパラ位またはメタ位であり、そしてベンゼン環の任意の水素がフッ素、炭素数１〜５のアルキル、炭素数１〜５のフッ素化アルキルまたは炭素数１〜５のアルコキシで置き換えられてもよく；Ｒ１が炭素数１〜２０のアルキルであり、このアルキル中の任意の−ＣＨ２−は１，４−フェニレン、１，４−シクロへキシレン、ナフタレン−２，７−ジイル、フルオレン−２，７−ジイル、ピリジン−２，５−ジイル、１，３−ジオキサン−２，５−ジイル、キノリン−３，７−ジイル、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；前記の１，４−フェニレンにおいて、任意の水素はフッ素、炭素数１〜４のアルキル、炭素数１〜４のフッ素化アルキルまたは炭素数１〜４のアルコキシで置き換えられてもよく；Ｘ1およびＸ２が独立して単結合または炭素数１〜１０のアルキレンであり、このアルキレン中の任意の−ＣＨ２−は１，４−フェニレン、１，４−シクロへキシレン、ナフタレン−２，７−ジイル、フルオレン−２，７−ジイル、ピリジン−２，５−ジイル、１，３−ジオキサン−２，５−ジイル、キノリン−３，７−ジイル、−Ｏ−または−ＣＨ＝ＣＨ−で置き換えられてもよく、そしてこのアルキレン中の任意の水素はフッ素で置き換えられてもよく；Ｘ２が単結合の時には、Ｘ１中のアミノフェニル基に結合する−ＣＨ２−が−Ｏ−で置き換えられることはなく；Ｘ1およびＸ２が共に単結合のときは、アミノフェニル基の少なくとも１つはベンゼン環の少なくとも１つの水素がフッ素、メチル、メトキシまたはトリフルオロメチルで置換されたアミノフェニル基である、請求項９に記載のポリマー。
【手続補正１０】
【補正対象書類名】特許請求の範囲
【補正対象項目名】請求項１１
【補正方法】変更
【補正の内容】
【請求項１１】
アミノフェニル基において、ベンゼン環へのアミノ基の結合位置がＸ１の結合位置およびＸ２の結合位置のそれぞれに対してパラ位またはメタ位であり、そしてベンゼン環の任意の水素がフッ素、メチルまたはメトキシで置き換えられてもよく；Ｒ１が炭素数１〜１０のアルキルであり、このアルキル中の任意の−ＣＨ２−は１，４−フェニレン、ナフタレン−２，７−ジイル、１，４−シクロへキシレン、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；Ｘ1およびＸ２が独立して単結合または炭素数１〜１０のアルキレンであり、このアルキレン中の任意の−ＣＨ２−は１，４−フェニレン、１，４−シクロへキシレン、−Ｏ−または−ＣＨ＝ＣＨ−で置き換えられてもよく、そしてこのアルキレン中の任意の水素はフッ素で置き換えられてもよく；Ｘ２が単結合の時には、Ｘ１中のアミノフェニル基に結合する−ＣＨ２−は−Ｏ−で置き換えられることはなく；アミノフェニル基の少なくとも１つはベンゼン環の少なくとも１つの水素がフッ素、メチルまたはメトキシで置換されたアミノフェニル基である、請求項９に記載のポリマー。
【手続補正１１】
【補正対象書類名】特許請求の範囲
【補正対象項目名】請求項２６
【補正方法】変更
【補正の内容】
【請求項２６】
式（１−１）で表されるジアミンの１つまたは式（１−１）で表されるジアミンの少なくとも１つを含むジアミン混合物をジアミン原料として用い、テトラカルボン酸二無水物、トリカルボン酸、ジカルボン酸、トリカルボン酸誘導体およびジカルボン酸誘導体の少なくとも１つとをカルボン酸原料として用いて得られるポリマーの少なくとも１つを含有する液晶配向剤を用いて形成され、そして直線偏光紫外線を照射することによって液晶配向能が付与される液晶配向膜：
2005255981.tif 000003
ここに、Ｒ１は炭素数１〜３０のアルキルであり、このアルキル中の任意の−ＣＨ２−はアリーレン、シクロへキシレン、−Ｏ−、−ＯＣＯ−、−ＣＯＯ−または−ＣＨ＝ＣＨ−で置き換えられてもよく、そしてこのアルキル中の任意の水素はハロゲンで置き換えられてもよく；前記のアリーレンにおいて、任意の−ＣＨ＝は−Ｎ＝で置き換えられてもよく、そして任意の水素はハロゲン、炭素数１〜４のアルキル、炭素数１〜４のフッ素化アルキル、または炭素数１〜４のアルコキシで置き換えられてもよく；前記のシクロヘキシレンにおいて、隣り合わない任意の−ＣＨ２−は−Ｏ−で置き換えられてもよく；アミノフェニル基において、ベンゼン環へのアミノ基の結合位置は任意であり、そしてベンゼン環の任意の水素はフッ素、炭素数１〜１０のアルキル、炭素数１〜１０のフッ素化アルキルまたは炭素数１〜１０のアルコキシで置き換えられてもよい。
【手続補正１２】
【補正対象書類名】明細書
【補正対象項目名】０００７
【補正方法】変更
【補正の内容】
【０００７】
また、液晶配向膜を構成するポリイミド主鎖にアミド結合を導入して誘電率を上げることにより電気的な特性の改善を図った液晶配向膜が提案されている（特許文献２および特許文献３を参照）。しかし、このようなＮ−非置換アミド基を持つポリイミドは溶剤に対する溶解性が低いことが問題となっている。なお、ＵＳ  ３，２８２，８９７号公報には本発明のジアミンと類似の化合物が記載されている。
【特許文献１】特開平８−４３８３１号公報
【特許文献２】特開平５−２２４２１２号公報
【特許文献３】特開平５−２２４２１３号公報
【手続補正１３】
【補正対象書類名】明細書
【補正対象項目名】００１０
【補正方法】変更
【補正の内容】
【００１０】
［１］  式（１）で表されるジアミン：
2005255981.tif 000004
ここに、アミノフェニル基において、ベンゼン環へのアミノ基の結合位置は任意であり、そしてベンゼン環の任意の水素はフッ素、炭素数１〜１０のアルキル、炭素数１〜１０のフッ素化アルキル、または炭素数１〜１０のアルコキシで置き換えられてもよく；Ｒ１は炭素数１〜３０のアルキルであり、このアルキル中の任意の−ＣＨ２−はフェニレン、シクロへキシレン、２価の縮合環基、２価のヘテロ環基、−Ｏ−、−ＯＣＯ−、−ＣＯＯ−または−ＣＨ＝ＣＨ−で置き換えられてもよく、そしてこのアルキル中の任意の水素はハロゲンで置き換えられてもよく；前記のフェニレン、シクロへキシレン、２価の縮合環基および２価のヘテロ環基において、任意の水素はハロゲン、炭素数１〜４のアルキル、炭素数１〜４のフッ素化アルキルまたは炭素数１〜４のアルコキシで置き換えられてもよく；Ｘ1およびＸ２は独立して単結合または炭素数１〜２０のアルキレンであり、このアルキレン中の任意の−ＣＨ２−はフェニレン、シクロへキシレン、２価の縮合環基、２価のヘテロ環基、−Ｏ−、−Ｓ−、−ＯＣＯ−、−ＣＯＯ−または−ＣＨ＝ＣＨ−で置き換えられてもよく、そしてこのアルキレン中の任意の水素はフッ素で置き換えられてもよく；Ｘ２が単結合の時は、Ｘ１中のアミノフェニル基に結合する−ＣＨ２−が−Ｏ−または−Ｓ−で置き換えられることはなく；Ｘ1およびＸ２が共に単結合のときは、アミノフェニル基の少なくとも１つはベンゼン環の少なくとも１つの水素がフッ素、メチル、メトキシまたはトリフルオロメチルで置換されたアミノフェニル基である。
【手続補正１４】
【補正対象書類名】明細書
【補正対象項目名】００１１
【補正方法】変更
【補正の内容】
【００１１】
［２］  アミノフェニル基において、ベンゼン環へのアミノ基の結合位置がＸ１の結合位置およびＸ２の結合位置のそれぞれに対してパラ位またはメタ位であり、そしてベンゼン環の任意の水素がフッ素、炭素数１〜５のアルキル、炭素数１〜５のフッ素化アルキルまたは炭素数１〜５のアルコキシで置き換えられてもよく；Ｒ１が炭素数１〜２０のアルキルであり、このアルキル中の任意の−ＣＨ２−は１，４−フェニレン、１，４−シクロへキシレン、ナフタレン−２，７−ジイル、フルオレン−２，７−ジイル、ピリジン−２，５−ジイル、１，３−ジオキサン−２，５−ジイル、キノリン−３，７−ジイル、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；前記の１，４−フェニレンにおいて、任意の水素はフッ素、炭素数１〜４のアルキル、炭素数１〜４のフッ素化アルキルまたは炭素数１〜４のアルコキシで置き換えられてもよく；Ｘ1およびＸ２が独立して単結合または炭素数１〜１０のアルキレンであり、このアルキレン中の任意の−ＣＨ２−は１，４−フェニレン、１，４−シクロへキシレン、ナフタレン−２，７−ジイル、フルオレン−２，７−ジイル、ピリジン−２，５−ジイル、１，３−ジオキサン−２，５−ジイル、キノリン−３，７−ジイル、−Ｏ−または−ＣＨ＝ＣＨ−で置き換えられてもよく、そしてこのアルキレン中の任意の水素はフッ素で置き換えられてもよく；Ｘ２が単結合の時には、Ｘ１中のアミノフェニル基に結合する−ＣＨ２−が−Ｏ−で置き換えられることはなく；Ｘ1およびＸ２が共に単結合のときは、アミノフェニル基の少なくとも１つはベンゼン環の少なくとも１つの水素がフッ素、メチル、メトキシまたはトリフルオロメチルで置換されたアミノフェニル基である、［１］項に記載のジアミン。
【手続補正１５】
【補正対象書類名】明細書
【補正対象項目名】００１２
【補正方法】変更
【補正の内容】
【００１２】
［３］  アミノフェニル基において、ベンゼン環へのアミノ基の結合位置がＸ１の結合位置およびＸ２の結合位置のそれぞれに対してパラ位またはメタ位であり、そしてベンゼン環の任意の水素がフッ素、メチルまたはメトキシで置き換えられてもよく；Ｒ１が炭素数１〜１０のアルキルであり、このアルキル中の任意の−ＣＨ２−は１，４−フェニレン、ナフタレン−２，７−ジイル、１，４−シクロへキシレン、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；Ｘ1およびＸ２が独立して単結合または炭素数１〜１０のアルキレンであり、このアルキレン中の任意の−ＣＨ２−は１，４−フェニレン、１，４−シクロへキシレン、−Ｏ−または−ＣＨ＝ＣＨ−で置き換えられてもよく、そしてこのアルキレン中の任意の水素はフッ素で置き換えられてもよく；Ｘ２が単結合の時には、Ｘ１中のアミノフェニル基に結合する−ＣＨ２−は−Ｏ−で置き換えられることはなく；Ｘ1およびＸ２が共に単結合のときは、アミノフェニル基の少なくとも１つはベンゼン環の少なくとも１つの水素がフッ素、メチルまたはメトキシで置換されたアミノフェニル基である、［１］項に記載のジアミン。
【手続補正１６】
【補正対象書類名】明細書
【補正対象項目名】００１４
【補正方法】変更
【補正の内容】
【００１４】
［５］  Ｒ１が炭素数１〜１０のアルキルであり、このアルキル中の任意の−ＣＨ２−は１，４−フェニレン、ナフタレン−２，７−ジイル、１，４−シクロへキシレン、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；Ｘ1およびＸ２が共に単結合であり；そして、アミノフェニル基において、ベンゼン環へのアミノ基の結合位置がＸ１の結合位置およびＸ２の結合位置のそれぞれに対してパラ位またはメタ位であり、そしてアミノフェニル基の少なくとも１つはベンゼン環の少なくとも１つの水素がフッ素、メチルまたはメトキシで置換されたアミノフェニル基である、［１］項に記載のジアミン。
【手続補正１７】
【補正対象書類名】明細書
【補正対象項目名】００１５
【補正方法】変更
【補正の内容】
【００１５】
［６］  Ｒ１が炭素数１〜１０のアルキルであり、このアルキル中の任意の−ＣＨ２−は１，４−フェニレン、ナフタレン−２，７−ジイル、１，４−シクロへキシレン、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；Ｘ1が炭素数１〜１０のアルキレンであり、このアルキレン中の任意の−ＣＨ２−は１，４−フェニレン、１，４−シクロへキシレン、−Ｏ−または−ＣＨ＝ＣＨ−で置き換えられてもよく、このアルキレン中の任意の水素はフッ素で置き換えられてもよく、そしてこのアルキレンにおいて、アミノフェニル基に結合する−ＣＨ２−は−Ｏ−で置き換えられることはなく；Ｘ２が単結合であり；アミノフェニル基において、ベンゼン環へのアミノ基の結合位置がＸ１の結合位置およびＸ２の結合位置のそれぞれに対してパラ位またはメタ位であり、そしてベンゼン環の任意の水素がフッ素、メチルまたはメトキシで置き換えられてもよい、［１］項に記載のジアミン。
【手続補正１８】
【補正対象書類名】明細書
【補正対象項目名】００１６
【補正方法】変更
【補正の内容】
【００１６】
［７］  Ｒ１が炭素数１〜１０のアルキルであり、このアルキル中の任意の−ＣＨ２−は１，４−フェニレン、ナフタレン−２，７−ジイル、１，４−シクロへキシレン、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；Ｘ1およびＸ２が独立して炭素数１〜１０のアルキレンであり、このアルキレン中の任意の−ＣＨ２−は１，４−フェニレン、１，４−シクロへキシレン、−Ｏ−または−ＣＨ＝ＣＨ−で置き換えられてもよく、そしてこのアルキレン中任意の水素はフッ素で置き換えられてもよく；アミノフェニル基において、ベンゼン環へのアミノ基の結合位置がＸ１の結合位置およびＸ２の結合位置のそれぞれに対してパラ位またはメタ位であり、そしてベンゼン環の任意の水素がフッ素、メチルまたはメトキシで置き換えられてもよい、［１］項に記載のジアミン。
【手続補正１９】
【補正対象書類名】明細書
【補正対象項目名】００１７
【補正方法】変更
【補正の内容】
【００１７】
［８］  Ｒ１が炭素数１〜１０のアルキルであり、このアルキル中の任意の−ＣＨ２−は１，４−フェニレン、ナフタレン−２，７−ジイル、１，４−シクロへキシレン、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；Ｘ1が単結合であり；Ｘ２が炭素数１〜１０のアルキレンであり、このアルキレン中の任意の−ＣＨ２−は１，４−フェニレン、１，４−シクロへキシレン、−Ｏ−または−ＣＨ＝ＣＨ−で置き換えられてもよく、そしてこのアルキレン中の任意の水素はフッ素で置き換えられてもよく；アミノフェニル基において、ベンゼン環へのアミノ基の結合位置がＸ１の結合位置およびＸ２の結合位置のそれぞれに対してパラ位またはメタ位であり、そしてベンゼン環の任意の水素がフッ素、メチルまたはメトキシで置き換えられてもよい、［１］項に記載のジアミン。
【手続補正２０】
【補正対象書類名】明細書
【補正対象項目名】００１８
【補正方法】変更
【補正の内容】
【００１８】
［９］  式（１）で表されるジアミンの１つまたは式（１）で表されるジアミンの少なくとも１つを含むジアミン混合物をジアミン原料として用い、テトラカルボン酸二無水物、トリカルボン酸、ジカルボン酸、トリカルボン酸誘導体およびジカルボン酸誘導体の少なくとも１つをカルボン酸原料として用いて得られるポリマー：
2005255981.tif 000005
ここに、アミノフェニル基において、ベンゼン環へのアミノ基の結合位置は任意であり、そしてベンゼン環の任意の水素はフッ素、炭素数１〜１０のアルキル、炭素数１〜１０のフッ素化アルキル、または炭素数１〜１０のアルコキシで置き換えられてもよく；Ｒ１は炭素数１〜３０のアルキルであり、このアルキル中の任意の−ＣＨ２−はフェニレン、シクロへキシレン、２価の縮合環基、２価のヘテロ環基、−Ｏ−、−ＯＣＯ−、−ＣＯＯ−または−ＣＨ＝ＣＨ−で置き換えられてもよく、そしてこのアルキル中の任意の水素はハロゲンで置き換えられてもよく；前記のフェニレン、シクロへキシレン、２価の縮合環基および２価のヘテロ環基において、任意の水素はハロゲン、炭素数１〜４のアルキル、炭素数１〜４のフッ素化アルキルまたは炭素数１〜４のアルコキシで置き換えられてもよく；Ｘ1およびＸ２は独立して単結合または炭素数１〜２０のアルキレンであり、このアルキレン中の任意の−ＣＨ２−はフェニレン、シクロへキシレン、２価の縮合環基、２価のヘテロ環基、−Ｏ−、−Ｓ−、−ＯＣＯ−、−ＣＯＯ−または−ＣＨ＝ＣＨ−で置き換えられてもよく、そしてこのアルキレン中の任意の水素はフッ素で置き換えられてもよく；Ｘ２が単結合の時は、Ｘ１中のアミノフェニル基に結合する−ＣＨ２−が−Ｏ−または−Ｓ−で置き換えられることはなく；Ｘ1およびＸ２が共に単結合のときは、アミノフェニル基の少なくとも１つはベンゼン環の少なくとも１つの水素がフッ素、メチル、メトキシまたはトリフルオロメチルで置換されたアミノフェニル基である。
【手続補正２１】
【補正対象書類名】明細書
【補正対象項目名】００１９
【補正方法】変更
【補正の内容】
【００１９】
［１０］  アミノフェニル基において、ベンゼン環へのアミノ基の結合位置がＸ１の結合位置およびＸ２の結合位置のそれぞれに対してパラ位またはメタ位であり、そしてベンゼン環の任意の水素がフッ素、炭素数１〜５のアルキル、炭素数１〜５のフッ素化アルキル、または炭素数１〜５のアルコキシで置き換えられてもよく；Ｒ１が炭素数１〜２０のアルキルであり、このアルキル中の任意の−ＣＨ２−は１，４−フェニレン、１，４−シクロへキシレン、ナフタレン−２，７−ジイル、フルオレン−２，７−ジイル、ピリジン−２，５−ジイル、１，３−ジオキサン−２，５−ジイル、キノリン−３，７−ジイル、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；前記の１，４−フェニレンにおいて、任意の水素はフッ素、炭素数１〜４のアルキル、炭素数１〜４のフッ素化アルキル、または炭素数１〜４のアルコキシで置き換えられてもよく；Ｘ1およびＸ２が独立して単結合または炭素数１〜１０のアルキレンであり、このアルキレン中の任意の−ＣＨ２−は１，４−フェニレン、１，４−シクロへキシレン、ナフタレン−２，７−ジイル、フルオレン−２，７−ジイル、ピリジン−２，５−ジイル、１，３−ジオキサン−２，５−ジイル、キノリン−３，７−ジイル、−Ｏ−または−ＣＨ＝ＣＨ−で置き換えられてもよく、そしてこのアルキレン中の任意の水素はフッ素で置き換えられてもよく；Ｘ２が単結合の時には、Ｘ１中のアミノフェニル基に結合する−ＣＨ２−が−Ｏ−で置き換えられることはなく；Ｘ1およびＸ２が共に単結合のときは、アミノフェニル基の少なくとも１つはベンゼン環の少なくとも１つの水素がフッ素、メチル、メトキシまたはトリフルオロメチルで置換されたアミノフェニル基である、［９］項に記載のポリマー。
【手続補正２２】
【補正対象書類名】明細書
【補正対象項目名】００２０
【補正方法】変更
【補正の内容】
【００２０】
［１１］  アミノフェニル基において、ベンゼン環へのアミノ基の結合位置がＸ１の結合位置およびＸ２の結合位置のそれぞれに対してパラ位またはメタ位であり、そしてベンゼン環の任意の水素がフッ素、メチルまたはメトキシで置き換えられてもよく；Ｒ１が炭素数１〜１０のアルキルであり、このアルキル中の任意の−ＣＨ２−は１，４−フェニレン、ナフタレン−２，７−ジイル、１，４−シクロへキシレン、−Ｏ−、−ＯＣＯ−、−ＣＯＯ−または−ＣＨ＝ＣＨ−で置き換えられてもよく、そしてこのアルキル中の任意の水素はフッ素で置き換えられてもよく；Ｘ1およびＸ２が独立して単結合または炭素数１〜１０のアルキレンであり、このアルキレン中の任意の−ＣＨ２−は１，４−フェニレン、１，４−シクロへキシレン、−Ｏ−または−ＣＨ＝ＣＨ−で置き換えられてもよく、そしてこのアルキレン中の任意の水素はフッ素で置き換えられてもよく；Ｘ２が単結合の時には、Ｘ１中のアミノフェニル基に結合する−ＣＨ２−は−Ｏ−で置き換えられることはなく；Ｘ1およびＸ２が共に単結合のときは、アミノフェニル基の少なくとも１つはベンゼン環の少なくとも１つの水素がフッ素、メチルまたはメトキシで置換されたアミノフェニル基である、［９］項に記載のポリマー。
【手続補正２３】
【補正対象書類名】明細書
【補正対象項目名】００３５
【補正方法】変更
【補正の内容】
【００３５】
［２６］  式（１−１）で表されるジアミンの１つまたは式（１−１）で表されるジアミンの少なくとも１つを含むジアミン混合物をジアミン原料として用い、テトラカルボン酸二無水物、トリカルボン酸、ジカルボン酸、トリカルボン酸誘導体およびジカルボン酸誘導体の少なくとも１つとをカルボン酸原料として用いて得られるポリマーの少なくとも１つを含有する液晶配向剤を用いて形成され、そして直線偏光紫外線を照射することによって液晶配向能が付与される液晶配向膜：
2005255981.tif 000006
ここに、Ｒ１は炭素数１〜３０のアルキルであり、このアルキル中の任意の−ＣＨ２−はアリーレン、シクロへキシレン、−Ｏ−、−ＯＣＯ−、−ＣＯＯ−または−ＣＨ＝ＣＨ−で置き換えられてもよく、そしてこのアルキル中の任意の水素はハロゲンで置き換えられてもよく；前記のアリーレンにおいて、任意の−ＣＨ＝は−Ｎ＝で置き換えられてもよく、そして任意の水素はハロゲン、炭素数１〜４のアルキル、炭素数１〜４のフッ素化アルキル、または炭素数１〜４のアルコキシで置き換えられてもよく；前記のシクロヘキシレンにおいて、隣り合わない任意の−ＣＨ２−は−Ｏ−で置き換えられてもよく；アミノフェニル基において、ベンゼン環へのアミノ基の結合位置は任意であり、そしてベンゼン環の任意の水素はフッ素、炭素数１〜１０のアルキル、炭素数１〜１０のフッ素化アルキルまたは炭素数１〜１０のアルコキシで置き換えられてもよい。
【手続補正２４】
【補正対象書類名】明細書
【補正対象項目名】００４７
【補正方法】変更
【補正の内容】
【００４７】
式（１）におけるＲ１は炭素数１〜３０アルキルである。このアルキル中の任意の−ＣＨ２−はフェニレン、シクロへキシレン、２価の縮合環基、２価のヘテロ環基、−Ｏ−、−ＯＣＯ−、−ＣＯＯ−または−ＣＨ＝ＣＨ−で置き換えられてもよい。そしてこのアルキル中の任意の水素はハロゲンで置き換えられてもよい。このフェニレン、シクロへキシレン、２価の縮合環基および２価のヘテロ環基において、任意の水素はハロゲン、炭素数１〜４のアルキル、炭素数１〜４のフッ素化アルキルまたは炭素数１〜４のアルコキシで置き換えられてもよい。縮合環基またはヘテロ環基の例は、ナフタレン２，７−ジイル、フルオレン−２，７−ジイル、ピリジン−２，５−ジイル、１，３−ジオキサン−２，５−ジイルおよびキノリン−３，７−ジイルである。
【手続補正２５】
【補正対象書類名】明細書
【補正対象項目名】００５３
【補正方法】変更
【補正の内容】
【００５３】
ガラス基板の接着や液晶の封止を目的に液晶表示素子の周囲にエポキシ樹脂等の封止剤がよく使用される。そしてこのとき、これらの樹脂からの不純物が液晶配向膜に吸着し、表示不良を起こすことがある。これを防ぐためには、アミノフェニル基の少なくとも１つの水素がフッ素、トリフルオロメチルまたはトリフルオロメトキシで置換されているジアミン（１）を液晶配向膜原料として用いることが好ましい。
【手続補正２６】
【補正対象書類名】明細書
【補正対象項目名】００５４
【補正方法】変更
【補正の内容】
【００５４】
Ｘ1およびＸ２は独立して単結合または炭素数１〜２０のアルキレンである。このアルキレンにおいて、任意の−ＣＨ２−はフェニレン、シクロへキシレン、２価の縮合環基、２価のヘテロ環基、−Ｏ−、−Ｓ−、−ＯＣＯ−、−ＣＯＯ−または−ＣＨ＝ＣＨ−で置き換えられてもよく、そして任意の水素がフッ素で置き換えられてもよい。このアルキレンの好ましい例は、炭素原子の数が１〜１０であり、任意の−ＣＨ２−が１，４−フェニレン、１，４−シクロへキシレン、ナフタレン２，７−ジイル、フルオレン−２，７−ジイル、ピリジン−２，５−ジイル、１，３−ジオキサン−２，５−ジイル、キノリン−３，７−ジイル、−Ｏ−または−ＣＨ＝ＣＨ−で置き換えられてもよく、そして任意の水素がフッ素で置き換えられてもよいアルキレンである。しかしながら、Ｘ２が単結合の時は、Ｘ１中のアミノフェニル基に結合する−ＣＨ２−が−Ｏ−または−Ｓ−で置き換えられることはない。そして、Ｘ1およびＸ２が共に単結合のときは、アミノフェニル基の少なくとも１つは、ベンゼン環の少なくとも１つの水素がフッ素、メチル、メトキシまたはトリフルオロメチルで置換されたアミノフェニル基、好ましくはベンゼン環の少なくとも１つの水素がフッ素、メチルまたはメトキシで置換されたアミノフェニル基である。耐ラビング性に優れ、そして残留電荷の少ない液晶配向膜を得るためには、Ｘ1およびＸ２が独立して単結合、炭素数１〜３のアルキレンまたは炭素数２〜３のアルケニレンであるジアミン（１）を用いてポリマーを製造することが好ましい。配向性に優れた液晶配向膜を得るためには、Ｘ1およびＸ２の少なくとも１つが炭素数４〜１０のアルキレンまたは炭素数４〜１０のアルケニレンであるジアミン（１）を用いてポリマーを製造することが好ましい。更に、Ｘ1およびＸ２の少なくとも１つが１，４−シクロヘキシレンまたは１，４−シクロヘキシレンを有する基であるジアミン（１）は、電圧保持率の高い液晶配向膜が得られるポリマーの原料として好適である。なお、Ｘ1またはＸ２が立体配置を有する基であるときは、ポリマーの直線性を保つためにはその立体配置はトランスであることが好ましい。
【手続補正２７】
【補正対象書類名】明細書
【補正対象項目名】００５６
【補正方法】変更
【補正の内容】
【００５６】
これらの式において、Ｒ１は炭素数１〜２０のアルキルであり、このアルキル中の任意の−ＣＨ２−は１，４−フェニレン、１，４−シクロへキシレン、ナフタレン−２，７−ジイル、フルオレン−２，７−ジイル、ピリジン−２，、５−ジイル、１，３−ジオキサン−２，５−ジイル、キノリン−３，７−ジイル、−Ｏ−、−ＯＣＯ−、−ＣＯＯ−または−ＣＨ＝ＣＨ−で置き換えられてもよく、そしてこのアルキル中の任意の水素はハロゲンで置き換えられてもよい。この１，４−フェニレンにおける任意の水素はハロゲン、炭素数１〜４のアルキル、炭素数１〜４のフッ素化アルキルまたは炭素数１〜４のアルコキシで置き換えられてもよい。アミノフェニル基において、ベンゼン環へのアミノ基の結合位置はパラ位またはメタ位であり、そしてベンゼン環の任意の水素はフッ素、炭素数１〜５のアルキル、炭素数１〜５のフッ素化アルキルまたは炭素数１〜５のアルコキシで置き換えられてもよい。そして、Ｘ１およびＸ２は独立して、炭素数１〜１０のアルキレンであり、このアルキレン中の任意の−ＣＨ２−は１，４−フェニレン、１，４−シクロへキシレン、ナフタレン−２，７−ジイル、フルオレン−２，７−ジイル、ピリジン−２，５−ジイル、１，３−ジオキサン−２，５−ジイル、キノリン−３，７−ジイル、−Ｏ−または−ＣＨ＝ＣＨ−で置き換えられてもよく、そしてこのアルキレン中の任意の水素はフッ素で置き換えられてもよい。
【手続補正２８】
【補正対象書類名】明細書
【補正対象項目名】００５７
【補正方法】変更
【補正の内容】
【００５７】
Ｒ１の好ましい例は炭素数１〜１０のアルキルであり、このアルキル中の任意の−ＣＨ２−は１，４−フェニレン、ナフタレン−２，７−ジイル、１，４−シクロへキシレン、−Ｏ−、−ＯＣＯ−、−ＣＯＯ−または−ＣＨ＝ＣＨ−で置き換えられてもよく、そしてこのアルキル中の任意の水素はフッ素で置き換えられてもよい。Ｘ１およびＸ２の好ましい例は炭素数１〜１０のアルキレンであり、このアルキレン中の任意の−ＣＨ２−は１，４−フェニレン、１，４−シクロへキシレン、−Ｏ−または−ＣＨ＝ＣＨ−で置き換えられてもよく、そしてこのアルキレン中任意の水素はフッ素で置き換えられてもよい。そして、式（Ｉ）〜式（IV）においてベンゼン環の置換基であってもよいと定義されるフッ素、炭素数１〜５のアルキル、炭素数１〜５のフッ素化アルキルおよび炭素数１〜５のアルコキシの好ましい例はフッ素、メチルおよびメトキシである。
【手続補正２９】
【補正対象書類名】明細書
【補正対象項目名】００９３
【補正方法】変更
【補正の内容】
【００９３】
［実施例１］（参考例）
＜化合物（Ｉ−１）の合成＞
2005255981.tif 000007
３つ口フラスコに４−ニトロベンゾイルクロライド（２０ｇ：２２０ｍｍｏｌ）を入れ、温度計、冷却管および滴下漏斗を取り付けて、ＤＭＦ（２００ｍｌ）に溶解させた。そこにＮ−メチル−４−ニトロアニリン（１５ｇ：２００ｍｍｏｌ）をＤＭＦ（２００ｍｌ））とピリジン（４０ｍｌ））との混合溶剤に溶かした溶液をゆっくり滴下した。窒素雰囲気下、８０℃で８時間加熱攪拌した。放冷後、反応液を水（２００ｍｌ））中に投入し、ジクロロメタン（３００ｍｌ））で抽出した。有機層を水（３００ｍｌ））で２回洗浄した後、無水硫酸マグネシウム（３０ｇ）を有機層に加え乾燥させた。ろ過によって無水硫酸マグネシウムを取り除いた後、溶剤を減圧溜去した。得られた粗結晶を酢酸エチルから再結晶して４，４’−ジニトロ−Ｎ−メチルベンズアニリドを得た。
（収量３２ｇ、収率５３％）
【手続補正３０】
【補正対象書類名】明細書
【補正対象項目名】００９５
【補正方法】変更
【補正の内容】
【００９５】
［実施例２］（参考例）
＜化合物（Ｉ−３）の合成＞
2005255981.tif 000008
フラスコに４−ブロモニトロベンゼン（２０ｇ：１００ｍｍｏｌ）を入れ、ＮＭＰ（５０ｍｌ））に溶解させた。そこにｎ-プロピルアミン（１２ｇ：２００ｍｍｏｌ）を滴下し、窒素雰囲気下１５０℃で８時間攪拌した。放冷後、反応液を水中に投入し、トルエン（３００ｍｌ））で抽出した。有機層を水（３００ｍｌ））で２回洗浄した後、無水硫酸マグネシウム（３０ｇ）を有機層に加え乾燥させた。ろ過によって無水硫酸マグネシウムを取り除いた後、溶剤を減圧溜去した。得られた粗結晶をヘプタンから再結晶してＮ−ｎ-プロピル−４−ニトロアニリンを得た。（収量１６ｇ、収率７６％）
【手続補正３１】
【補正対象書類名】明細書
【補正対象項目名】０１０１
【補正方法】変更
【補正の内容】
【０１０１】
［実施例４］（参考例）
＜化合物（Ｉ−２１）の合成＞
2005255981.tif 000009
フラスコに、特開平１０−２５１１８６号公報に記載の方法に従い合成した４−（４−（４−ｎ−プロピルシクロヘキシル）シクロヘキシル）ブロモベンゼン（３４ｇ：９０ｍｍｏｌ）、４−ニトロアニリン（３８ｇ：２７０ｍｍｏｌ）、ｔ−ブトキシナトリウム（３４ｇ：３６０ｍｍｏｌ）、トリス（ジベンジリデンアセトン）パラジウム（１．６ｇ：１．８ｍｍｏｌ）および２−（ジ−ｔ−ブチルホスフィノ）ビフェニル（１．０ｇ：３．６ｍｍｏｌ）を入れ、トルエンに溶解させた。窒素雰囲気下８０℃で１２時間攪拌した。放冷後、反応液を水（４００ｍｌ）に投入し、トルエン（５００ｍｌ）で抽出した。有機層を飽和塩化アンモニウム水溶液（５００ｍｌ）で２回、次いで水（５００ｍｌ）で２回洗浄した後、無水硫酸マグネシウム（５０ｇ）を有機層に加え乾燥させた。ろ過によって無水硫酸マグネシウムを取り除いた後、溶剤を減圧溜去した。カラムクロマトグラフィー（トルエン）で分離精製し、得られた粗結晶をトルエンから再結晶してＮ−（４−（４−（４−ｎ−プロピルシクロヘキシル）シクロヘキシル）フェニル）−４−ニトロアニリンを得た。（収量２８ｇ、収率７３％）